(57)【要約】【課題】複数の異なる無線通信技術からなる無線通信ネットワークにおいて、多数の通信装置が接続している場合でも、一方の通信技術のデータ伝送が、他方の通信装置のデータ伝送状況に起因して遅延することを抑え、異なる無線通信技術が共存可能な通信装置を提供すること。【解決手段】複数の無線通信システムを用いて、信号の送受信を行う通信装置であって、前記複数の無線通信システムのうち、第１の無線通信システムを用いて、所定の周波数帯域の電波が使用されることを示す第１の周波数を予約するための信号を送信し、前記電波が使用されることを示す信号を送信した後、前記第１の無線通信システムとは異なる第２の無線通信システムを用いて、他の通信装置に対してデータの送信を要求する信号を送信することを特徴とする。【選択図】図３
2019054313.tif 000002
【特許請求の範囲】
【請求項１】
複数の無線通信システムを用いて、信号の送受信を行う通信装置であって、
前記複数の無線通信システムのうち、第１の無線通信システムを用いて、所定の周波数帯域の電波が使用されることを示す第１の周波数を予約するための信号を送信し、
前記電波が使用されることを示す信号を送信した後、前記第１の無線通信システムとは異なる第２の無線通信システムを用いて、他の通信装置に対してデータの送信を要求する信号を送信することを特徴とする通信装置。
【請求項２】
前記通信装置は、ＯＦＤＭ信号を用いる無線通信システムを用いて、第１の周波数を予約するための信号を送信し、
ＯＦＤＭ信号を用いない無線通信システムを使い、他の通信装置に対してデータの送信を要求する信号を送信し、
前記ＯＦＤＭ信号を用いる無線通信システムの使用周波数帯域幅が、前記ＯＦＤＭ信号を用いない無線通信システムの使用周波数帯域幅より広いことを特徴とする請求項１に記載の通信装置。
【請求項３】
前記通信装置は、ＯＦＤＭ信号を用いない無線通信システムがＢｌｕｅｔｏｏｔｈ  Ｌｏｗ  Ｅｎｅｒｇｙであることを特徴とする請求項２に記載の通信装置。
【請求項４】
前記通信装置は、前記第１の無線通信システムで使用される信号の中心周波数と、前記第１の無線通信システムとは異なる無線通信システムで使用される信号の中心周波数が異なることを特徴とする請求項１乃至請求項３に記載の通信装置。
【請求項５】
前記通信装置は、前記他の通信装置に対してデータの送信を要求する信号の送信電力が前記第１の周波数を予約するための信号の送信電力より小さいことを特徴とする請求項１乃至請求項４に記載の通信装置。
【請求項６】
前記通信装置は、前記第１の無線通信システムを用いてデータ送信を行う前に、所定の周波数帯域の電波が使用されることを示す第２の周波数を予約するための信号を送信し、
前記第１の周波数を予約するための信号は、前記第２の周波数を予約するための信号より送信電力が小さいことを特徴とする請求項１乃至請求項５に記載の通信装置。
【請求項７】
前記第１の周波数を予約するための信号は、前記他の通信装置に対してデータの送信を要求する信号の実効接続インターバルに基づいて設定されることを特徴とする請求項１乃至請求項６に記載の通信装置。
【請求項８】
前記第１の周波数を予約するための信号は、他通信装置に送信を禁止することを示す第１の送信禁止期間を含み、
前記他の通信装置に対してデータの送信を要求する信号は、前記第１の送信禁止期間に送信されることを特徴とする請求項１乃至請求項７に記載の通信装置。
【請求項９】
第１の送信禁止期間は、前記他の通信装置に対してデータの送信を要求する信号の接続イベントの期間に設定されることを特徴とする請求項８に記載の通信装置。
【請求項１０】
前記通信装置は、前記他の通信装置に対してデータの送信を要求する信号の接続イベントの期間と、データの送信を要求する信号以外の接続イベントの期間を交互に設定し、
前記第１の送信禁止期間は、複数個の前記他の通信装置に対してデータの送信を要求する信号の接続イベントの期間を含むことを特徴とする請求項８に記載の通信装置。
【請求項１１】
前記通信装置は、前記第１の無線通信システムを用いてデータ送信を行う前に、所定の周波数帯域の電波が使用されることを示す第２の周波数を予約するための信号を送信し、
前記第２の周波数を予約するための信号は、他通信装置に送信を禁止することを示す第２の送信禁止期間を含み、
前記第１の送信禁止期間は、前記第２の送信禁止期間と異なることを特徴とする請求項８乃至請求項１０に記載の通信装置。
【請求項１２】
前記通信装置は、前記第１の周波数を予約するための信号を送信した後、前記第１の無線通信システムのネットワークを識別するサービスセット識別情報を含む信号を送信し、
前記第２の無線通信システムを用いて、他の通信装置に対してデータの送信を要求する信号を送信する場合、前記サービスセット識別情報に、特定のネットワークを指定しないことを示す情報を設定することを特徴とする請求項１乃至１１に記載の通信装置。
【請求項１３】
前記通信装置は、前記第１の周波数を予約するための信号を送信した後、前記第１の無線通信システムを用いてデータ伝送するか否かを示すシステム識別情報を含む信号を送信し、
前記システム識別情報が、無線ＬＡＮ以外を用いてデータ伝送を行うことを示す識別子を格納した場合、前記第２の無線通信システムを用いて、他の通信装置に対してデータの送信を要求する信号を送信することを特徴とする請求項１乃至１１に記載の通信装置。
【請求項１４】
前記通信装置は、前記複数の無線通信システムのうち、前記第１の無線通信システムを用いて、所定の周波数帯域の電波が使用されることを示す第３の周波数を予約するための信号を受信し、
前記第１の周波数を予約するための信号を、前記第３の周波数を予約するための信号で示された送信禁止期間に設定することを特徴とする請求項１乃至６に記載の通信装置。
【請求項１５】
複数の無線通信システムを用いて、信号の送受信を行う通信装置における通信方法であって、
前記複数の無線通信システムのうち、第１の無線通信システムを用いて、所定の周波数帯域の電波が使用されることを示す第１の周波数を予約するための信号を送信するステップと、
前記電波が使用されることを示す信号を送信した後、前記第１の無線通信システムとは異なる第２の無線通信システムを用いて、他の通信装置に対してデータの送信を要求する信号を送信するステップを有することを特徴とする通信方法。
【発明の詳細な説明】
【技術分野】
【０００１】
本発明は、通信装置および通信方法に関する。
【背景技術】
【０００２】
ＩＥＥＥ８０２．１１ｂ、ｇ、ｎ等のＷｉＦｉ(登録商標)と呼ばれる無線ＬＡＮや近距離無線通信ＢＬＥ（Bluetooth(登録商標) Low Energy）等の異なる無線通信技術を用いて、ヘテロジーニアスな無線通信ネットワークが構築されている（非特許文献１、非特許文献２）。この無線通信ネットワークには、スマートフォン等の情報端末やセンサ等の多数の機器が接続される。
【０００３】
無線ＬＡＮとＢＬＥは共に、２．４ＧＨｚのＩＳＭバンド（Industry Science Medical
Band）を用いる。ＢＬＥでは、無線ＬＡＮを搭載した機器の干渉を避けるために、適応
型周波数ホッピングＡＦＨ（Adaptive Frequency Hopping）が適用される（非特許文献２）。ＢＬＥは、ＡＦＨにより、無線ＬＡＮが使用している周波数チャネルを避けて、通信を行う。
【先行技術文献】
【非特許文献】
【０００４】
【非特許文献１】“IEEE Standard for Information technology-- Local and metropolitan area networks-- Specific requirements-- Part 11: Wireless LAN Medium Access Control (MAC) and Physical Layer (PHY) Specifications: Further Higher Data Rate Extension in the 2.4 GHz Band”  ＩＥＥＥ  Ｓｔｄ  ８０２．１１ｇ−２００３、２００３年６月
【非特許文献２】“Bluetooth SIG: Bluetooth specification version 4.2”  ２０１４年２月（https://www.bluetooth.org/ja-jp/specification/adopted-specifications）
【発明の概要】
【発明が解決しようとする課題】
【０００５】
しかしながら、無線ＬＡＮを搭載した機器が多く存在するエリアでは、頻繁に無線ＬＡＮが周波数チャネルを占有する。さらに、ヘテロジーニアスなネットワークでは、ＢＬＥを搭載した多数のセンサが存在することが予想される。このため、ＢＬＥのための空きチャネルが周波数及び時間的に少なくなる。また、ＢＬＥの送信電力は、一般的に、無線ＬＡＮの送信電力より小さいため、両者のパケットが衝突した場合、ＢＬＥのパケットが消失する可能性が高い。この結果、そのパケットを再送信する必要が生じ、ＢＬＥにおけるデータ伝送の遅延が問題となる。
【０００６】
本発明はこのような事情を鑑みてなされたものであり、その目的は、複数の異なる無線通信技術からなる無線通信ネットワークにおいて、多数の通信装置が接続している場合でも、一方の通信技術のデータ伝送が、他方の通信装置のデータ伝送状況に起因して遅延することを抑え、異なる無線通信技術が共存可能な通信装置及び通信方法を提供することにある。
【課題を解決するための手段】
【０００７】
上述した課題を解決するために本発明に係る通信装置および通信方法の構成は、次の通りである。
【０００８】
本発明の一態様は、複数の無線通信システムを用いて、信号の送受信を行う通信装置であって、前記複数の無線通信システムのうち、第１の無線通信システムを用いて、所定の周波数帯域の電波が使用されることを示す第１の周波数を予約するための信号を送信し、前記電波が使用されることを示す信号を送信した後、前記第１の無線通信システムとは異なる第２の無線通信システムを用いて、他の通信装置に対してデータの送信を要求する信号を送信する。
【０００９】
また、本発明の一態様は、前記通信装置は、ＯＦＤＭ信号を用いる無線通信システムを用いて、第１の周波数を予約するための信号を送信し、ＯＦＤＭ信号を用いない無線通信システムを使い、他の通信装置に対してデータの送信を要求する信号を送信し、前記ＯＦＤＭ信号を用いる無線通信システムの使用周波数帯域幅が、前記ＯＦＤＭ信号を用いない無線通信システムの使用周波数帯域幅より広い。
【００１０】
また、本発明の一態様は、前記通信装置は、ＯＦＤＭ信号を用いない無線通信システムがＢｌｕｅｔｏｏｔｈ  Ｌｏｗ  Ｅｎｅｒｇｙである。
【００１１】
また、本発明の一態様は、前記通信装置は、前記第１の無線通信システムで使用される信号の中心周波数と、前記第１の無線通信システムとは異なる無線通信システムで使用される信号の中心周波数が異なる。
【００１２】
また、本発明の一態様は、前記通信装置は、前記他の通信装置に対してデータの送信を要求する信号の送信電力が前記第１の周波数を予約するための信号の送信電力より小さい。
【００１３】
また、本発明の一態様は、前記通信装置は、前記第１の無線通信システムを用いてデータ送信を行う前に、所定の周波数帯域の電波が使用されることを示す第２の周波数を予約するための信号を送信し、前記第１の周波数を予約するための信号は、前記第２の周波数を予約するための信号より送信電力が小さい。
【００１４】
また、本発明の一態様は、前記第１の周波数を予約するための信号は、前記他の通信装置に対してデータの送信を要求する信号の実効接続インターバルに基づいて設定される。
【００１５】
また、本発明の一態様は、前記第１の周波数を予約するための信号は、他通信装置に送信を禁止することを示す第１の送信禁止期間を含み、前記他の通信装置に対してデータの送信を要求する信号は、前記第１の送信禁止期間に送信される。
【００１６】
また、本発明の一態様は、第１の送信禁止期間は、前記他の通信装置に対してデータの送信を要求する信号の接続イベントの期間に設定される。
【００１７】
また、本発明の一態様は、前記通信装置は、前記他の通信装置に対してデータの送信を要求する信号の接続イベントの期間と、データの送信を要求する信号以外の接続イベントの期間を交互に設定し、前記第１の送信禁止期間は、複数個の前記他の通信装置に対してデータの送信を要求する信号の接続イベントの期間を含む。
【００１８】
また、本発明の一態様は、前記通信装置は、前記第１の無線通信システムを用いてデータ送信を行う前に、所定の周波数帯域の電波が使用されることを示す第２の周波数を予約するための信号を送信し、前記第２の周波数を予約するための信号は、他通信装置に送信を禁止することを示す第２の送信禁止期間を含み、前記第１の送信禁止期間は、前記第２の送信禁止期間と異なる。
【００１９】
また、本発明の一態様は、前記通信装置は、前記第１の周波数を予約するための信号を送信した後、前記第１の無線通信システムのネットワークを識別するサービスセット識別情報を含む信号を送信し、前記第２の無線通信システムを用いて、他の通信装置に対してデータの送信を要求する信号を送信する場合、前記サービスセット識別情報に、特定のネットワークを指定しないことを示す情報を設定する。
【００２０】
また、本発明の一態様は、前記通信装置は、前記第１の周波数を予約するための信号を送信した後、前記第１の無線通信システムを用いてデータ伝送するか否かを示すシステム識別情報を含む信号を送信し、前記システム識別情報が、無線ＬＡＮ以外を用いてデータ伝送を行うことを示す識別子を格納した場合、前記第２の無線通信システムを用いて、他の通信装置に対してデータの送信を要求する信号を送信する。
【００２１】
また、本発明の一態様は、前記通信装置は、前記複数の無線通信システムのうち、前記第１の無線通信システムを用いて、所定の周波数帯域の電波が使用されることを示す第３の周波数を予約するための信号を受信し、前記第１の周波数を予約するための信号を、前記第３の周波数を予約するための信号で示された送信禁止期間に設定する。
【００２２】
本発明の一態様は、複数の無線通信システムを用いて、信号の送受信を行う通信装置における通信方法であって、前記複数の無線通信システムのうち、第１の無線通信システムを用いて、所定の周波数帯域の電波が使用されることを示す第１の周波数を予約するための信号を送信するステップと、前記電波が使用されることを示す信号を送信した後、前記第１の無線通信システムとは異なる第２の無線通信システムを用いて、他の通信装置に対してデータの送信を要求する信号を送信するステップを有する。
【発明の効果】
【００２３】
本発明によれば、複数の異なる無線通信技術から構成される無線通信ネットワークにおいて、多数の通信装置が接続している場合でも、一方の通信技術のデータ伝送が、他方の通信技術のデータ伝送状況に起因して遅延することを抑え、異なる無線通信技術の共存が可能となる。
【図面の簡単な説明】
【００２４】
【図１】第１の実施形態に係る無線通信ネットワークの構成例を示す図である。
【図２】第１の実施形態に係る通信装置の構成例を示す図である。
【図３】第１の実施形態に係る通信装置の媒体予約期間の設定例を示す図である。
【図４】第１の実施形態に係る無線ＬＡＮ及びＢＬＥを搭載した通信装置の媒体予約範囲の設定例を示す図である。
【図５】第１の実施形態に係る無線ＬＡＮ及びＢＬＥを搭載した通信装置がＣＴＳを送信する範囲の設定例を示す図である。
【図６】第１の実施形態に係る無線ＬＡＮ及びＢＬＥを搭載した通信装置のＢＬＥの通信タイミングと媒体予約期間の設定例を示す図である。
【図７】第１の実施形態に係る接続イベントの動作期間の構成例を示す図である。
【図８】第１の実施形態に係る無線ＬＡＮ及びＢＬＥを搭載した通信装置のＢＬＥの通信タイミングと媒体予約期間の別の設定例を示す図である。
【図９】第１の実施形態に係る無線ＬＡＮ及びＢＬＥを搭載した通信装置のＢＬＥの通信タイミングと媒体予約期間の別の設定例を示す図である。
【図１０】第１の実施形態に係る通信装置の媒体予約期間の別の設定例を示す図である。
【図１１】第１の実施形態に係る無線ＬＡＮとＢＬＥを搭載する通信装置の動作フロー例を示す図である。
【図１２】第２の実施形態に係る無線通信ネットワークの構成例を示す図である。
【図１３】第２の実施形態に係る無線ＬＡＮ及びＢＬＥを搭載した通信装置の媒体予約範囲の設定例を示す図である。
【図１４】第２の実施形態に係る無線ＬＡＮ及びＢＬＥを搭載した通信装置のＢＬＥの通信タイミングと媒体予約期間の設定例を示す図である。
【図１５】第３の実施形態に係る無線ＬＡＮ及びＢＬＥを搭載した通信装置の媒体予約範囲の設定例を示す図である。
【図１６】第４の実施形態に係る無線ＬＡＮ及びＢＬＥを搭載した通信装置の媒体予約範囲の設定例を示す図である。
【発明を実施するための形態】
【００２５】
（第１の実施形態）
本実施形態に係る無線通信ネットワークは、複数のアクセス制御方式が組み合わされる。例えば、ＣＳＭＡ／ＣＡ（Carrier Sense Multiple Access with Collision Avoidance）方式の無線通信システムとポーリング方式の無線通信システムが組み合わされる。この無線通信ネットワークは、複数の無線通信システムを用いて構築される。例えば、ＩＥＥＥ８０２．１１ｂ、ｇ、ｎ等のＷｉＦｉ（登録商標）、Ｂｌｕｅｔｏｏｔｈ（登録商標）、ＢＬＥ（Bluetooth Low Energy）、ＩＥＥＥ８０２．１５．４等が組み合わされる。本実施形態に係る無線通信ネットワークは、ＯＦＤＭ（Orthogonal Frequency Division Multiplexing）方式、スペクトラム拡散方式（ＦＨ−ＳＳ：Frequency Hopping -Spectrum Spreading、ＤＳ−ＳＳ：Direct Sequence -Spectrum Spreading、ＣＣＫ：Complimentary Code Keying）等の複数の無線通信技術を用いて構成される。本実施形態に係る無線通
信ネットワークは、複数の無線通信ネットワークを用いて構築される。例えば、無線ＬＡＮ（Wireless Local Area Network）、無線ＰＡＮ（Wireless Personal Area Network）
、無線センサネットワーク、無線ＢＡＮ（Wireless Body Area Network）等が組み合わされる。この無線通信ネットワークでは、複数の無線通信技術を搭載した通信装置が含まれる。通信装置は、アクセスポイント、スマートフォン等の端末装置、センシング装置、電子タグ等が含まれる。
【００２６】
以下、無線ＬＡＮ（ＷＬＡＮ）及びＢＬＥの無線通信システムを用いて構築された無線通信ネットワークを例に挙げて説明する。本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。なお、この実施の形態によりこの発明が限定されるものではない。
【００２７】
図１は、本実施形態に係る無線通信ネットワークの構成例を示す図である。図１に示すように、本実施形態に係る無線通信ネットワークは、無線ＬＡＮのアクセスポイント１０、無線ＬＡＮ及びＢＬＥを搭載した通信装置（コンボ装置、コンボ端末、第１の通信装置）２０−１、２０−２、ＢＬＥを搭載した通信装置（第２の通信装置）３１−１、３１−２、３２を備える。通信装置２０−１、２０−２を総称して通信装置２０とも称する。通信装置３１−１、３１−２を総称して通信装置３１とも称する。
【００２８】
カバレッジ１０ａは、アクセスポイント１０が通信装置２０（無線ＬＡＮにおけるＳＴＡ）と無線ＬＡＮの通信機能を用いて、接続可能な範囲（通信エリア）である。カバレッジ２０−１ａは、通信装置（ＢＬＥにおける中心ノード、セントラル、マスタ端末、マスタノード）２０−１が通信装置（ＢＬＥにおける端末ノード、ペリフェラル、スレーブ端末、スレーブノード）３１とＢＬＥの通信機能を用いて、接続可能な範囲である。カバレッジ２０−２ａは、通信装置２０−２が通信装置３２とＢＬＥの通信機能を用いて、接続可能な範囲である。例えば、通信装置２０は、ＢＬＥの通信機能を用いて、通信装置３１、３２と無線センサネットワークや無線ＢＡＮを構築する。なお、本実施形態に係る無線通信ネットワークを構成する通信装置２０、３１、３２の設置数は図１に限定されない。
【００２９】
図２は、本実施形態に係る通信装置の構成例を示す図である。図２において、第１の無線送受信部１０１、２０１１は、無線ＬＡＮの階層構造における物理媒体依存部（ＰＭＤ：Physical Medium Dependent）の処理を行う。第１の上位層処理部１０２、２０１２は
、無線ＬＡＮの階層構造における物理レイヤ管理情報（ＰＨＹ  ＭＩＢ：Physical Layer
Management Information Base）、物理レイヤコンバージェンスプロトコル（ＰＬＣＰ：Physical Layer Convergence Protocol）、媒体アクセス制御（Medium Access Control: MAC）層等の物理媒体依存部より上位の階層の処理を行う。
【００３０】
第２の無線送受信部２０２１、３０１は、ＢＬＥの階層構造における物理層の処理を行う。第２の上位層処理部２０２２、３０２は、ＢＬＥの階層構造におけるリンク層、論理リンクコントロール及びアダプテーションプロトコル（Ｌ２ＣＡＰ：Logical Link Control and Adaptive Protocol）、アトリビュートプロトコル（ＡＴＴ：Attribute Protocol）、汎用アトリビュートプロファイル（ＧＡＴＴ：Generic Attribute Profile）、汎用
アクセスプロファイル（ＧＡＰ：Generic Access Profile）等の物理層より上位の階層の処理を行う。第２の上位層処理部はＢＬＥ通信の動作状態を管理する。動作状態は、スタンバイ状態（無線通信待機）、アドバタイジング状態（アドバタイジング送信）、スキャンニング状態（デバイス発見）、イニシエーティング状態（参加要請）、接続状態（データ交換）等がある。
【００３１】
アクセスポイント１０と通信装置２０は、無線ＬＡＮの周波数チャネルを用いて、通信を行う。例えば、アクセスポイント１０と通信装置２０は、ＩＳＭバンドにおいて、使用周波数帯域幅２２ＭＨｚの１３個の周波数チャネルを用いて通信を行う。例えば、１３個の周波数チャネルの各中心周波数は、２４１２ＭＨｚ、２４１７ＭＨｚ、２４２２ＭＨｚ、・・・、２４７２ＭＨｚのように５ＭＨｚ間隔で割当てられる。アクセスポイント１０は、アンテナ部１００、第１の無線送受信部（第１の送受信ステップ）１０１、第１の上位層処理部（第１の上位層処理ステップ）１０２を備える。
【００３２】
第１の無線送受信部１０１は、物理媒体依存部おける受信処理の機能を有する。アンテナ部１００を介して受信した無線ＬＡＮのＯＦＤＭ（Orthogonal Frequency Division Multiplexing）信号に対して、ダウンコンバートによりベースバンド信号に変換し、不要な周波数成分を除去し、信号レベルが適切に維持されるように増幅レベルを制御し、アナログ信号をディジタル信号に変換する。第１の無線送受信部１０１は、変換したそのディジタル信号のうち、プリアンブル信号を用いてチャネル推定、タイミング検出等を行う。プリアンブル信号は、既知の系列である。また、第１の無線送受信部１０１は、変換したそのディジタル信号からサイクリックプレフィックス（cyclic prefix: CP）に相当する部
分を除去した信号に対して、高速フーリエ変換（Fast Fourier Transform: FFT）を行い
、各サブキャリアの信号を取得する。第１の無線送受信部１０１は、各サブキャリアにおけるＢＰＳＫ（Binary Phase Shift Keying）、ＱＰＳＫ（Quadrature Phase Shift Keying）、１６ＱＡＭ（quadrature amplitude modulation）、６４ＱＡＭ、等のデータ変調
信号に対して、復調処理を行なう。さらに、第１の無線送受信部１０１は、復調処理後、誤り訂正符号化に対する復号処理を行い、ＭＡＣフレームを構成する情報ビットを上位層処理部に入力する。第１の無線送受信部１０１が送受信を行う単位をパケットといい、ＭＡＣフレームを構成するデータの固まりに該当する。
【００３３】
第１の無線送受信部１０１は、物理媒体依存部おける送信処理の機能を有する。第１の無線送受信部１０１は、第１の上位層処理部１０２から入力されるＭＡＣフレームを構成する情報ビットに対して畳み込み符号等の誤り訂正符号化処理を行った後、ＢＰＳＫ、ＱＰＳＫ、１６ＱＡＭ等のデータ変調処理を行う。第１の無線送受信部１０１は、そのデータ変調処理後の信号に対して逆高速フーリエ変換（Inverse FFT）してＯＦＤＭシンボル
を生成し、ＯＦＤＭシンボルにＣＰを付加してベースバンドのディジタル信号を生成する。また、第１の無線送受信部１０１は、タイミング検出、チャネル推定等為のために用いられるプリアンブル信号やその他の物理レイヤヘッダを前記ディジタル信号に付加する。さらに、このプリアンブル信号等を付加したディジタル信号をアナログ信号に変換し、搬送周波数にアップコンバートし、電力増幅し、アンテナ１０１を介して送信する。なお、本実施形態に係る伝送方式は、ＯＦＤＭに限定されるものではなく、スペクトル拡散方式等も適用できる。
【００３４】
第１の上位層処理部１０２は、無線ＬＡＮの各機能のＭＡＣフレームフォーマットに基づいて、第１の無線送受信部１０１から入力された情報ビットを読み込む。ＭＡＣフレームフォーマットは、ビーコン、プローブ要求等のマネージメントフレーム、ＲＴＳ（Request To Send）フレーム、ＣＴＳ（Clear To Send）フレーム等の制御フレーム、データフレーム等が該当する。例えば、第１の上位層処理部１０２は、ＲＴＳのＭＡＣフレームフォーマットに基づいて、通信装置２０が送信した送信要求を読み込む。
【００３５】
第１の上位層処理部１０２は、無線ＬＡＮの機能毎のＭＡＣフレームを生成する。ＭＡＣフレームは、ＣＴＳフレーム、ＡＣＫフレーム等を含む。第１の上位層処理部１０２は、ＣＴＳのＭＡＣフレームフォーマットに基づき、ＣＴＳフレーム（ＣＴＳメッセージ）を生成する。ＣＴＳフレームを構成する各フィールドに書き込まれた情報ビットは、第１の無線送受信部１０１に入力される。ＣＴＳは、ＲＴＳを送信した通信装置に対して、受信準備完了を示す機能を有する。また、ＣＴＳは、所定の周波数帯域の電波が使用されることを示す機能を有する。ＣＴＳには、送信禁止（ＮＡＶ：Network Allocation Vector
）期間を示す情報が含まれる。送信禁止期間（ＮＡＶ期間）の設定は、ＣＴＳフレームを構成するＤｕｒａｔｉｏｎフィールドで設定される。ＡＣＫフレームは、送信元の通信装置に対して、正常に受信したことを示す確認応答(Acknowledgement)の機能を有する。Ａ
ＣＫフレームに含まれるＤｕｒａｔｉｏｎフィールドを用いて、送信禁止期間を設定することもできる。
【００３６】
通信装置２０は、アンテナ部２００−１、２００−２、第１の無線通信処理部２０１と第２の無線通信処理部２０２、無線チャネル管理部２０３を備える。第１の無線通信処理部２０１は、ＣＳＭＡ／ＣＡ方式のアクセス制御を行う。第２の無線通信処理部２０２は、ポーリング方式のアクセス制御を行う。
【００３７】
第１の無線通信処理部２０１は、第１の無線送受信部（第１の無線送受信ステップ）２０１１と第１の上位層処理部（第１の上位層処理ステップ）２０１２を備える。第２の無線通信処理部２０２は、第２の無線送受信部（第２の無線送受信ステップ）２０２１と第１の上位層処理部（第２の上位層処理ステップ）２０２２を備える。第１の無線送受信部２０１１は、少なくとも第１の無線送受信部１０１と同様の送信／受信処理の機能を有する。
【００３８】
第１の上位層処理部２０１２は、無線ＬＡＮの各機能のＭＡＣフレームを生成する。ＭＡＣフレームは、ＲＴＳフレーム、ＣＴＳフレーム（CTS to self）、送信データを格納
するフィールドを含む基本フレーム等を含む。第１の上位層処理部２０１２は、これらのＭＡＣフレームを構成する各フィールドに書き込まれた情報ビットを、第１の無線送受信部２０１１に入力する。第１の上位層処理部２０１２は、ＲＴＳのＭＡＣフレームフォーマットに基づき、ＲＴＳフレーム（ＲＴＳメッセージ）を生成する。ＲＴＳは、所定の周波数帯域の電波が使用されることを示す信号（他通信装置に送信禁止を示す信号）である。ＲＴＳは、所定の周波数帯域の電波が使用されることを示す機能を有する。ＲＴＳフレームには、送信禁止期間（ＮＡＶ期間）を示す情報が含まれる。
【００３９】
第１の上位層処理部２０１２は、ＣＴＳのＭＡＣフレームフォーマットに基づき、ＣＴＳフレームを生成する。ＣＴＳには、ＣＴＳ  ｔｏ  ｓｅｌｆが含まれる。ＣＴＳ  ｔｏ
ｓｅｌｆは、自分宛にＣＴＳフレームを送信し、周辺の通信装置に対して、送信禁止期間を示す機能を有する。送信禁止期間は、ＣＴＳフレームのＤｕｒａｔｉｏｎフィールドに設定される。第１の上位層処理部２０１２は、基本フレームを用いて、送信禁止期間を示すこともできる。送信禁止期間は、基本フレームのＤｕｒａｔｉｏｎフィールドにより設定される。
【００４０】
第２の無線送受信部２０２１は、ＢＬＥの物理層における送信処理の機能を有する。第２の無線送受信部２０２は、第２の上位層処理部２０２２から入力されるＢＬＥパケットを構成する情報ビットに対して、ガウス周波数変調（ＧＦＳＫ：Gaussian Frequency Shift Keying）を行った後、周波数ホッピング処理（ＦＨＳＳ：Frequency Hopping spread Spectrum）を行う。例えば、周波数ホッピング処理は、ＢＬＥの使用周波数帯において定めた１ＭＨｚ幅（使用周波数帯域幅）の４０個の周波数チャネルの中から選択した１つの周波数チャネルにＧＦＳＫ変調後の信号を割り当てる。第２の無線送受信部２０２１は、周波数チャネルにＧＦＳＫ変調後の信号を割り当てた後、搬送周波数にアップコンバートし、電力増幅し、アンテナ２００−２を介して送信する。例えば、ＩＳＭバンドにおける４０個の周波数チャネルの各中心周波数は、２４０２ＭＨｚ、２４０４ＭＨｚ、２４０４ＭＨｚ、・・・、２４８０ＭＨｚのように２ＭＨｚ間隔で割当てられる。例えば、第２の無線送信部２０２１の送信電力は、第１の無線送信部２０１１が無線ＬＡＮのデータのための送信電力より小さい。なお、第２の無線送受信部２０２１は、第２の上位層処理部２０２２から入力されるＢＬＥのパケットを構成する情報ビットに対して、誤り訂正符号化をしてもよい。
【００４１】
ＧＦＳＫ変調後の信号を割り当てる周波数チャネルは、所定のパターン（ホッピングパターン）に基づいて時間の経過とともに切り替えられる（周波数ホッピングされる）。周波数ホッピングは所定の周期（動作期間）で行われる。周波数ホッピングする単位をイベントともよぶ。
【００４２】
ＢＬＥの周波数チャネルは、アドバタイジングチャネル(Advertising Channel)とデー
タチャネルから構成される。アドバタイジングチャネルはネットワーク参加前のデバイス発見やブロードキャストに利用されるチャネルである。データチャネルは、ＢＬＥのネットワーク接続状態でデータ通信に利用されるチャネルである。例えば、４０個の周波数チャネルのうち、３７個のチャネル（ＣＨ０〜ＣＨ３６）はデータチャネルに割り当てられ、３個のチャネル（ＣＨ３７〜ＣＨ３９）はアドバタイジングチャネルに割り当てられる。第２の無線送受信部２０２１は、アドバタイジングチャネルとデータチャネルに分けて周波数ホッピングを行う。アドバタイジングチャネルが動作する期間をアドバタイジングイベントと呼ぶ。アドバタイジングイベントは所定の間隔で行われる。アドバタイジングイベントが繰り返される間隔をアドバタイジングインターバルと呼ぶ。データチャネルが動作する単位を接続イベントと呼ぶ。接続イベントは所定の間隔で行われる。マスタの通信装置は、接続しているスレーブの通信装置に対して、順番に、繰り返し接続イベントを与える。マスタの通信装置が同一のスレーブの通信装置に接続イベントを与える間隔を接続インターバルという。
【００４３】
第２の無線送受信部２０２１は、周波数ホッピングを行う周波数チャネルの範囲を制限することができる。例えば、第１の無線送信部２０１がＲＴＳフレーム、ＣＴＳフレーム等によりＮＡＶ期間を設定した場合、その設定した禁止期間において、全ての周波数チャネルの範囲（例えば、４０個の周波数チャネル）で周波数ホッピング処理を行う。一方、ＮＡＶ期間を設定していない場合、無線ＬＡＮの通信を行っていない空きチャネルの範囲で周波数ホッピング処理を行う。ＮＡＶ期間設定の有無に応じて、周波数ホッピングを行
うチャネル範囲を変えることで、無線ＬＡＮの通信と衝突しない多くのチャネルを獲得できる。このため、通信装置２０が、多数の通信装置３１、３２と通信を行う場合でも、ＢＬＥにおけるデータ伝送の遅延を抑えることができる。
【００４４】
第２の無線送受信部２０２１は、ＢＬＥの物理層における受信処理の機能を有する。アンテナ部２００−２を介して受信したＢＬＥの信号に対して、ダウンコンバートによりベースバンド信号に変換し、各周波数チャネルに割当てられた信号を抽出する。第２の無線送受信部２０２１は、各周波数チャネルの信号に対して、ＧＦＳＫの復調処理を行なう。さらに、第２の無線送受信部２０２１は、ＢＬＥパケットを構成する復調後の情報データを第２の上位層処理部２０２２に入力する。
【００４５】
第２の上位層処理部２０２２は、通信パケットを生成する。通信パケットは、同期用のプリアンブルフィールド、アクセスアドレスフィールド、プロトコルデータユニットＰＤＵ、ＣＲＣチェックフィールドから構成される。アドバタイジング状態、接続状態によって、アドバタイジングチャネルＰＤＵ、データチャネルＰＤＵ等の異なるＰＤＵタイプが設定される。
【００４６】
ＢＬＥは、ポーリングアクセス制御を採用する。ポーリングアクセス制御において、マスタノードがネットワークにある全てのスレーブノードのアクセス権を管理する。通信装置２０は、一定間隔でポーリングパケットを送信する。第２の上位層処理部２０２２は、ポーリングパケットを送信するタイミング（スレーブノードがアクセスするタイミング）を制御する。第２の上位層処理部２０２２は、アドバタイジングインターバル及び接続インターバルを設定できる。第２の上位層処理部２０２２は、最小接続インターバル及び最大接続インターバルを設定できる。第２の上位層処理部２０２２は、スレーブレイテンシを設定できる。スレーブレイテンシは、スレーブがポーリングパケットを無視する回数（接続イベントに不参加の最大連続回数）である。第２の上位層処理部２０２２は、実効接続インターバルを設定することができる。実効接続インターバルは、マスタノードが送信したポーリングパケットに対して、スレーブノードが応答する必要のあるインターバルである。実効接続インターバルは、接続インターバル×（１＋スレーブレイテンシ）である。第２の上位層処理部２０２２は、スレーブレイテンシ区間に送信する接続イベントにおいて、ペイロードなしのＥｍｐｔｙ  ＰＤＵパケットを送信することができる。
【００４７】
第２の上位層処理部２０２２は、通信装置３１、３２に送信したポーリングパケットに対する応答データを第２の無線送受信部２０２１から読み込む。第２の上位層処理部２０２２は、第２の無線送受信部２０２１から入力されたアドバタイザメントパケットにおけるデータを読み込む。アドバイザメントパケットは、通信装置３１、３２が送信したＢＬＥネットワーク参加要請を示すパケットである。第２の上位層処理部２０２２は、ＢＬＥの通信パケットフォーマットに基づいて、第２の無線送受信部２０２１から入力された応答データを読み込む。
【００４８】
無線チャネル管理部２０３は、ＢＬＥのパケット通信用の媒体予約（周波数／時間の予約）をするために、ＲＴＳフレーム／ＣＴＳフレームを送信するタイミング／周波数チャネル／Ｄｕｒａｔｉｏｎフィールドを設定する。無線チャネル管理部２０３は、第２の上位層処理部２０２２が設定したポーリングパケットを送信するタイミングに基づいて、ＲＴＳフレーム／ＣＴＳフレームを送信するタイミング／周波数チャネルを設定する。無線チャネル管理部２０３は、ポーリングパケットを送信するタイミングに基づいて、Ｄｕｒａｔｉｏｎフィールドを設定する（周辺の通信装置に対して送信禁止区間を設定する）。ポーリングパケットを送信するタイミングは、アドバタイジングインターバル／接続インターバル／最小接続インターバル／最大接続インターバル／スレーブレイテンシ／実効接続インターバル等である。
【００４９】
無線チャネル管理部２０３は、アドバタイジングイベント数／アドバタイジングインターバル数／接続イベント数／接続インターバル数に基づいて、ＲＴＳフレーム／ＣＴＳフレームを送信するタイミング／周波数チャネルを設定する。無線チャネル管理部２０３は、アドバタイジングイベント数／アドバタイジングインターバル数／接続イベント数／接続インターバル数／に基づいて、Ｄｕｒａｔｉｏｎフィールドを設定する。
【００５０】
無線チャネル管理部２０３は、ＢＬＥのパケット送信タイミングにより設定したＲＴＳフレーム／ＣＴＳフレームを送信するタイミング／周波数チャネル／Ｄｕｒａｔｉｏｎフィールド（ＮＡＶ期間）を第１の無線通信処理部２０１に通知する。そして、第１の無線送受信部２０１１／第１の上位層処理部２０１２は、これらのタイミング／周波数チャネル／Ｄｕｒａｔｉｏｎフィールドに基づいて、各処理を行う。
【００５１】
無線チャネル管理部２０３は、第１の上位層処理部２０１２から取得したＲＴＳフレーム／ＣＴＳフレームを送信するタイミング／周波数チャネル／Ｄｕｒａｔｉｏｎフィールドに基づいて、ポーリングパケットを送信するタイミングを設定することもできる。この場合、無線チャネル管理部２０３は、ポーリングパケットを送信するタイミングを第２の無線通信処理部２０２に通知する。そして、第２の無線送受信部２０２１／第２の上位層処理部２０２２は、このポーリングパケットを送信するタイミングに基づいて、各処理を行う。
【００５２】
無線チャネル管理部２０３は、ＢＬＥのパケット送信のためのＲＴＳフレーム／ＣＴＳフレームの送信電力を設定することができる。無線チャネル管理部２０３は、ＢＬＥのパケット送信のためのＲＴＳフレーム／ＣＴＳフレームの送信電力を、無線ＬＡＮのデータ送信のためのＲＴＳフレーム／ＣＴＳフレームの送信電力と同一にすることができる。この場合、無線ＬＡＮが通信可能なカバレッジ（図１の１０ａ）について、ＢＬＥ用に媒体予約をすることができる。ＢＬＥが通信可能なカバレッジ（図１の２０−１ａ、２０−２ａ）は無線ＬＡＮが通信可能なカバレッジより小さい。このため、無線ＬＡＮとＢＬＥを搭載した特定の通信装置が媒体予約（ＮＡＶ期間設定）を行うことで、その周辺に存在する通信装置のＢＬＥ通信についても、無線ＬＡＮからの干渉を低減することができる。
【００５３】
無線チャネル管理部２０３は、ＢＬＥのパケット送信のためのＲＴＳフレーム／ＣＴＳフレームの送信電力を、無線ＬＡＮのデータ送信のためのＲＴＳフレーム／ＣＴＳフレームの送信電力と相違することができる。例えば、ＢＬＥのパケット送信のためのＲＴＳフレーム／ＣＴＳフレームの送信電力は、無線ＬＡＮのデータ送信のためのＲＴＳフレーム／ＣＴＳフレームの送信電力より小さく設定する。これにより、無線ＬＡＮの送信電力とＢＬＥの送信電力の相違に応じて（無線ＬＡＮとＢＬＥの接続可能な範囲の相違に応じ）、送信禁止する通信装置の範囲を設定することができる。なお、無線チャネル管理部２０３は、無線ＬＡＮのデータ送信のためのＲＴＳフレーム／ＣＴＳフレームか、ＢＬＥのパケット送信のためのＲＴＳフレーム／ＣＴＳフレームかによって、送信電力を切替えることができる。
【００５４】
図２において、通信装置３１、３２は、アンテナ部３００、第２の無線送受信部３０１と第２の上位層処理部３０２を備える。第２の無線送受信部３０１は、第２の無線送受信部２０２１と同様の送信／受信処理の機能を有する。通信装置３１、３２は、マスタノードが送信したポーリングパケットに対して、実効接続インターバルに基づいて、応答パケットを送信する。第２の上位層処理部３０２は、通信装置２０がポーリングパケットを第２の無線送受信部３０１から読み込む。ポーリングパケットに読取要求が含まれる場合、第２の上位層処理部３０２は、応答データを第２の無線送受信部３０１に入力する。また、第２の上位層処理部３０２は、アドバタイザメントパケットを生成し、第２の無線送受
信部３０１に入力する。
【００５５】
図３は、本実施形態に係る通信装置が媒体予約期間の設定例を示す図である。図３において、期間ｔ１０は、無線ＬＡＮ（ＷＬＡＮ）とＢＬＥを搭載した通信装置２０−１が無線ＬＡＮにより通信を行うために媒体予約する期間である。通信装置２０−１は、所定の周波数帯域の電波が使用されることを示す信号として、ＲＴＳ、ＣＴＳを送信する。期間ｔ１１は、ＲＴＳを用いて、無線ＬＡＮとＢＬＥを搭載した通信装置２０−１がＢＬＥにより通信を行うために媒体予約する期間である。
【００５６】
通信装置２０−１は、所定のバックオフ（例えば、分散制御用フレーム間隔ＤＩＦＳ（Distributed coordination function Inter Frame space））の後、ＲＴＳを送信する。
ＲＴＳを受信した通信装置２０−２は、ＲＴＳに含まれるＤｕｒａｔｉｏｎフィールドの値に基づいて、ＮＡＶ（ＲＴＳ）期間において無線ＬＡＮ／ＢＬＥの送信を抑制する。ＲＴＳを受信したアクセスポイント１０は、所定のバックオフ（例えば、短フレーム間隔ＳＩＦＳ（Short Inter Frame space））の後、ＣＴＳを送信する。ＣＴＳを受信した通信
装置２０−１は、期間ｔ１０において、無線ＬＡＮのデータフレームをアクセスポイント１０に送信する。ＣＴＳを受信した通信装置２０−１は、期間ｔ１１において、ＢＬＥ通信を行う。なお、プリアンブルは、チャネル推定、タイミング検出等に用いられる既知信号である。
【００５７】
図３において、期間ｔ１２は、ＣＴＳを用いて、無線ＬＡＮとＢＬＥを搭載した通信装置２０−１がＢＬＥにより通信を行うために媒体予約した期間である。通信装置２０−１は、所定のバックオフの後、ＣＴＳ(CTS to itself)を送信する。ＣＴＳを受信した通信
装置２０−２は、ＣＴＳに含まれるＤｕｒａｔｉｏｎフィールドの値に基づいて、ＮＡＶ（ＣＴＳ）期間において無線ＬＡＮの送信を抑制する。通信装置２０−１は、ＣＴＳを送信後、期間ｔ１２において、ＢＬＥ通信を行う。なお、無線ＬＡＮを使用してデータフレームを送信するための媒体予約するタイミングと、前記ＢＬＥの媒体予約するタイミングが衝突した場合、無線ＬＡＮを使用したデータフレームの送信を優先して使用してもよい。
【００５８】
期間ｔ１１、ｔ１２において、通信装置２０−１は、ＢＬＥを用いて通信装置３１と通信を行う。これにより、通信装置２０−１は、ＢＬＥを用いた通信において、無線ＬＡＮからの干渉を抑えることができる。また、通信装置２０−１は、ＲＴＳ／ＣＴＳの送信により、無線ＬＡＮが通信可能なカバレッジ（図１の１０ａ）について、媒体予約をする。ＲＴＳ／ＣＴＳを受信した通信装置２０−２は、無線ＬＡＮのＮＡＶ期間において、ＢＬＥを用いて通信装置３２と通信を行う。これにより、無線ＬＡＮとＢＬＥを搭載した特定の通信装置が媒体予約を行うことで、その周辺に存在する通信装置のＢＬＥ通信において、無線ＬＡＮからの干渉を低減することができる。
【００５９】
図４は、本実施形態に係る無線ＬＡＮ及びＢＬＥを搭載した通信装置の媒体予約範囲の設定例を示す図である。通信装置２０−１の無線チャネル管理部２０３は、ＢＬＥのパケット送信のためのＲＴＳフレーム／ＣＴＳフレームの送信電力の設定を可変することができる。第１の媒体予約範囲は、通信装置２０−１が第１の送信電力でＲＴＳフレーム／ＣＴＳフレームを送信した場合に、ＢＬＥ用に媒体予約可能な範囲である。第２の媒体予約範囲は、通信装置２０−１が第２の送信電力でＲＴＳフレーム／ＣＴＳフレームを送信した場合に、ＢＬＥ用に媒体予約可能な範囲である。第２の送信電力は、第１の送信電力より大きい。
【００６０】
例えば、通信装置３１−１、３１−２が他の通信装置２０−２からの無線ＬＡＮによる干渉の影響を受けない環境にある場合（通信装置２０−１が近距離にある通信装置３１−
１、３１−２とＢＬＥ通信を行う場合）、通信装置２０−１は、第１の送信電力でＲＴＳフレーム／ＣＴＳフレームを送信する。通信装置３１−１、３１−２が他の通信装置２０−２からの無線ＬＡＮによる干渉の影響を受ける環境にある場合、通信装置２０−１は、第２の送信電力でＲＴＳフレーム／ＣＴＳフレームを送信する。あるいは、通信装置２０−１が他の通信装置２０−２のＢＬＥ接続可能な範囲にある通信装置３２についても媒体予約をする場合（通信装置３１−１、３１−２、３２がＢＬＥ通信を行う場合）、第２の送信電力でＲＴＳフレーム／ＣＴＳフレームを送信する。以上のように、無線ＬＡＮとＢＬＥを搭載した特定の通信装置がＢＬＥ用の媒体予約の範囲を制御することにより、ＢＬＥ通信を用いた無線ネットワークの環境に応じて、無線ＬＡＮからの干渉を低減し、データ伝送の遅延を抑えることができる。
【００６１】
図５は、本実施形態に係る無線ＬＡＮ及びＢＬＥを搭載した通信装置のＣＴＳを送信する範囲の設定例を示す図である。無線ＬＡＮのチャネルとＢＬＥのチャネルは使用周波数帯が重複している。図５において、ＢＬＥ用媒体予約範囲＃１は、通信装置２０−１が無線ＬＡＮの周波数チャネル＃２にＣＴＳを送信した場合の媒体予約範囲である。この場合、通信装置２０−１／通信装置２０−２は、無線ＬＡＮチャネル＃２の範囲で通信装置３１／通信装置３２とＢＬＥ通信（周波数ホッピング）を行う（図５のＢＬＥチャネル＃５〜＃１０）。ＢＬＥ用媒体予約範囲＃２は、通信装置２０−１が無線ＬＡＮの周波数チャネル＃１及び＃２にＣＴＳを送信した場合の媒体予約範囲である。この場合、通信装置２０−１／通信装置２０−２は、周波数チャネル＃１及び＃２の範囲で通信装置３１／通信装置３２とＢＬＥ通信（周波数ホッピング）を行う（図５のＢＬＥチャネル＃０〜＃１０）。通信装置２０−１は、ＢＬＥを用いて通信を行う通信装置の数に応じて、ＣＴＳを送信する周波数チャネル／周波数チャネル数を選択することができる。なお、通信装置２０−１は、ＢＬＥ用に媒体予約していない場合、無線ＬＡＮと重複していないチャネル（例えば、図５のＢＬＥチャネル＃０、＃５、＃１０）でＢＬＥ通信を行うことができる。
【００６２】
図６は、本実施形態に係る無線ＬＡＮ及びＢＬＥを搭載した通信装置のＢＬＥの通信タイミングと媒体予約期間の設定例を示す図である。図６において、右上がり斜線は、接続イベントを示す。通信装置２０−１のＢＬＥ通信タイミングにおいて、接続イベントは所定の間隔で繰り返される。各接続イベントには、データチャネルが割り当てられる（例えば、データチャネル＃０〜＃３６のいずれかが割当てられる）。接続イベントは、データチャネルのＢＬＥ無線通信の動作期間である。図７は、本実施形態に係る接続イベントの動作期間の構成例を示す図である。接続イベントの動作期間は、マスタ装置がスレーブ装置にパケットを送信する期間ｔ２１とスレーブ装置がマスタ装置にパケットを送信する期間ｔ２２から構成される。例えば、期間ｔ２１では、ポーリングパケットが送信される。期間ｔ２２では、ポーリングパケットに対する応答パケットが送信される。
【００６３】
図６において、網掛け部は、通信装置２０−１（マスタ装置）が通信装置３１（スレーブ装置）に送信するポーリングパケットを示す。白抜き部は、通信装置３１（スレーブ装置）が通信装置２０−１（マスタ装置）に送信する応答パケットを示す。接続インターバルは、マスタ装置が同一のスレーブ装置と通信する間隔である。通信装置２０−１は、通信装置３１−１に対して、接続イベント＃０、＃４、＃８、＃１２、＃１６において、ポーリングパケットを送信している。
【００６４】
図６において、通信装置２０−１は、通信装置３１−１に対して、接続イベント＃０、＃１２において、読取要求を含むポーリングパケット（送信を要求する信号）を送信する。通信装置３１−１に対して、通信装置２０−１がポーリングパケットを含む接続イベントを送信する間隔を第１の接続インターバルと呼ぶ。通信装置２０−１は、接続イベント＃０、＃１２において、読取要求を含むポーリングパケットを送信する。通信装置２０−１は、接続イベント＃４、＃８、＃１６において、Ｅｍｐｔｙ  ＰＤＵを含むポーリング
パケットを送信する。通信装置３１−１は、接続イベント＃０、＃１２で受信したポーリングパケットに対して、応答パケットを送信する。通信装置３１−１は、接続イベント＃４、＃８、＃１６で受信したポーリングパケットを無視する。実効接続インターバルは、読取要求を含むポーリングパケットを送信する間隔である。スレーブレイテンシは、接続イベントを無視する連続的な回数である（Ｅｍｐｔｙ  ＰＤＵを含むポーリングパケットを連続して送信する回数である）。図６では、スレーブレイテンシ＝２である。
【００６５】
通信装置２０−１は、第１の接続インターバルにおいて、通信装置３１−２に対して、読取要求を含むポーリングパケットを送信することを設定する。図６において、通信装置２０−１は、通信装置３１−２に対して、接続イベント＃２、＃６、＃１０、＃１４、＃１８において、ポーリングパケットを送信している。通信装置２０−１は、通信装置３１−２に対して、接続イベント＃２、＃１４において、読取要求を含むポーリングパケットを送信する。
【００６６】
通信装置２０−１は、接続インターバル／スレーブレイテンシを設定する。通信装置２０−１は、接続インターバル／スレーブレイテンシから実効接続インターバルを算出することができる。通信装置２０−１は、接続インターバル／スレーブレイテンシ／実効接続インターバルを用いて、読取要求を含むポーリングパケットを送信するタイミング（図６における接続イベント＃０、＃２、＃１２、＃１４）を設定する。通信装置２０−１は、実効接続インターバル（接続イベント＃０、＃１２の送信タイミング）と同期させて、無線ＬＡＮにおいてＣＴＳフレームを送信する。通信装置２０−１は、このＣＴＳフレームのＤｕｒａｔｉｏｎフィールドに、第１の接続インターバルの期間以上のＮＡＶ期間（ＢＬＥ用無線媒体予約期間）を設定する。図６は、第１の接続インターバルの期間をＮＡＶ期間に設定した場合の例である。ＣＴＳフレームを受信した通信装置２０−２は、ＮＡＶ期間において無線ＬＡＮの送信を禁止する。これにより、通信装置２０−１は、通信装置３１とＢＬＥ通信をする期間において、無線ＬＡＮからの干渉を低減し、応答パケットが消失することを防ぐことができる。
【００６７】
通信装置２０−１は、ＮＡＶ期間を設定した後、接続インターバル／スレーブレイテンシを設定することもできる。通信装置２０−１は、設定した所定のＮＡＶ期間に、読取要求を含むポーリングパケットを送信できるように、接続インターバル／スレーブレイテンシを設定する。
【００６８】
通信装置２０−２は、自装置とＢＬＥ通信する通信装置３２に対して、第１の接続インターバルの期間内に読取要求を含むポーリングパケットを送信する。これにより、通信装置２０−１がＢＬＥ用に媒体予約することで、通信装置２０−１の周辺に存在する通信装置２０−２のＢＬＥ通信に対する干渉も低減することができる。
【００６９】
図６では、通信装置３１が、読取要求を含むポーリングパケットを受信した接続イベントの次の接続イベントで応答パケットを送信する場合である。通信装置３１は、前記応答パケットを、次の読取要求を含むポーリングパケットを受信した接続イベントにおいて、送信することもできる。この場合、通信装置２０−１は、ＢＬＥ用無線媒体予約期間を、読取要求を含むポーリングパケットを受信した接続イベントの期間に設定することができる。
【００７０】
図８は、本実施形態に係る無線ＬＡＮ及びＢＬＥを搭載した通信装置のＢＬＥの通信タイミングと媒体予約期間の別の設定例を示す図である。図８において、通信装置２０−１は、図６と同様のＢＬＥ通信タイミングで、通信装置３１−１、３１−２に対して、読取要求を含むポーリングパケットを送信する。通信装置２０−１は、実効接続インターバルと同期させて、無線ＬＡＮにおいてＣＴＳフレームを送信する。通信装置２０−１は、Ｃ
ＴＳフレームのＤｕｒａｔｉｏｎフィールドに、所定数の第１の接続インターバルの期間に亘るＮＡＶ期間（ＢＬＥ用無線媒体予約期間）を設定する。図６では、連続する２回の第１の接続インターバルに亘る期間をＮＡＶ期間と設定した例である。
【００７１】
これにより、通信装置２０−１がＢＬＥ用に媒体予約することで、通信装置２０−２のＢＬＥ通信のタイミングが、通信装置２０−１のＢＬＥ通信のタイミングと異なる場合においても、通信装置２０−１の周辺に存在する通信装置２０−２のＢＬＥ通信に対する干渉も低減することができる。なお、通信装置２０−１は、ＣＴＳフレームのＤｕｒａｔｉｏｎフィールドに、連続する所定数の実効接続インターバルの期間に亘るＮＡＶ期間を設定することもできる。
【００７２】
図９は、本実施形態に係る無線ＬＡＮ及びＢＬＥを搭載した通信装置のＢＬＥの通信タイミングと媒体予約期間の別の設定例を示す図である。通信装置２０−２は、媒体予約を行う通信装置２０−１の周辺に存在する。右上がり斜線は、接続イベントを示す。通信装置２０−２のＢＬＥ通信タイミングにおいて、接続イベントは所定の間隔で繰り返される。各接続イベントには、データチャネルが所定のパターンに従い、割り当てられる（図９の＃０、＃１、・・・＃９、・・・は、接続イベントに割り当てたデータチャネルのチャネルＩＤの例である）。なお、データチャネルに、無線周波数チャネルと関連付けた番号を割当てることができる。
【００７３】
図９において、網掛け部は、通信装置２０−２（マスタ装置）が通信装置３２（スレーブ装置）に送信するポーリングパケットを示す。白抜き部は、通信装置３２（スレーブ装置）が通信装置２１（マスタ装置）に送信する応答パケットを示す。通信装置２０−２は、通信装置３２に対して、接続イベント＃０、＃２、＃４、＃６、＃８において、ポーリングパケットを送信している。
【００７４】
図９において、通信装置２０−２は、通信装置３２に対して、接続イベント＃０、＃６において、読取要求を含むポーリングパケットを送信する。通信装置２０−２が、通信装置３２に対してポーリングパケットを含む接続イベントを送信する間隔を第２の接続インターバルと呼ぶ。通信装置２０−２は、接続イベント＃２、＃４、＃８において、Ｅｍｐｔｙ  ＰＤＵを含むポーリングパケットを送信する。通信装置３２は、接続イベント＃０、＃６で受信したポーリングパケットに対して、応答パケットを送信する。通信装置３２は、接続イベント＃２、＃４、＃８で受信したポーリングパケットを無視する。図９では、スレーブレイテンシ＝２である。
【００７５】
図９において、通信装置２０−１は、第１の接続インターバル（図６）と第２の接続インターバルを考慮して、読取要求を含むポーリングパケットを送信するタイミングを設定する。通信装置２０−１は、自装置のＢＬＥ通信における実効接続インターバル（図６の接続イベント＃０、＃１２の送信タイミング）と同期させて、無線ＬＡＮにおいてＣＴＳフレームを送信する。通信装置２０−１は、このＣＴＳフレームのＤｕｒａｔｉｏｎフィールドに、第１の接続インターバル（図６）と第２の接続インターバルを考慮して、ＮＡＶ期間（ＢＬＥ用無線媒体予約期間）を設定する。例えば、第１の接続インターバルと第２の接続インターバルうち大きい方の期間を設定する。図９は、第２の接続インターバルが第１の接続インターバルより大きい場合に、通信装置２０−１が第２の接続インターバルの期間をＮＡＶ期間に設定した例である。これにより、通信装置２０−１がＢＬＥ用に媒体予約することで、通信装置２０−１の周辺に存在する通信装置２０−２のＢＬＥ通信に対する干渉も低減することができる。
【００７６】
図１０は、本実施形態に係る通信装置の媒体予約期間の別の設定例を示す図である。図１０において、無線ＬＡＮとＢＬＥを搭載する通信装置２０−１は、無線ＬＡＮにおいて
、ＣＴＳフレームを送信し、媒体予約期間ｔ３１を確保する。このＣＴＳフレームのＤｕｒａｔｉｏｎフィールドは、通信装置２０−１がＢＬＥ通信のために確保したい期間に設定される。ＣＴＳを受信した通信装置２０−２は、媒体予約期間ｔ３１をＮＡＶ期間ｔ３１に設定する。媒体予約期間ｔ３１において、通信装置２０−１は、ＢＬＥの通信を行う。
【００７７】
無線ＬＡＮとＢＬＥを搭載する通信装置２０−２は、無線ＬＡＮにおいて、ＣＴＳフレームを送信し、媒体予約期間ｔ３２を確保する。ＣＴＳを受信した通信装置２０−１は、媒体予約期間ｔ３２をＮＡＶ期間ｔ３２に設定する。この際、通信装置２０−１は、通信装置２０−２が必要としているＮＡＶ期間ｔ３２を取得する。媒体予約期間ｔ３２において、通信装置２０−１及び通信装置２０−２は、ＢＬＥの通信を行うことができる。通信装置２０−１は、ＮＡＶ期間ｔ３２において、通信状況（送信周波数など）をモニタすることができる。
【００７８】
通信装置２０−１は、次に媒体予約するために送信するＣＴＳにおいて、自装置がＢＬＥ通信のために確保したい期間（ＮＡＶ期間ｔ３１）と他装置から受信したＮＡＶ期間（ＮＡＶ期間ｔ３２）を考慮して、Ｄｕｒａｔｉｏｎフィールドを設定する。例えば、通信装置２０−１は、自装置がＢＬＥ通信のために確保したい期間と他装置から受信したＮＡＶ期間のうち、長い期間をＤｕｒａｔｉｏｎフィールドに設定する。図１０では、他装置から受信したＮＡＶ期間（ＮＡＶ期間ｔ３２）が、自装置がＢＬＥ通信のために確保したい期間（ＮＡＶ期間ｔ３１）より長い。この場合、通信装置２０−１は、ＤｕｒａｔｉｏｎフィールドにＮＡＶ期間ｔ３２に基づいた期間を設定する。
【００７９】
図１０において、通信装置２０−１が確保した媒体予約期間ｔ３３は、ＮＡＶ期間ｔ３２と同一の長さである。このＣＴＳを受信した通信装置２０−１は、媒体予約期間ｔ３３をＮＡＶ期間ｔ３３に設定する。媒体予約期間ｔ３３において、通信装置２０−１及び通信装置２０−２は、ＢＬＥの通信を行うことができる。
【００８０】
以上のように、無線ＬＡＮとＢＬＥを搭載する通信装置が複数存在する場合、通信装置が相互に協調しながら無線媒体を行うことで、広い範囲においてＢＬＥ通信に対する干渉を低減することができる。
【００８１】
図１１は、本実施形態に係る無線ＬＡＮとＢＬＥを搭載する通信装置の動作フロー例を示す図ある。通信装置２０−１は、通信装置３１とＢＬＥ通信を行うためのパケット送信タイミングを設定する（Ｓ１０１）。パケット送信タイミングは、接続インターバル／スレーブレイテンシ／実効接続インターバルにより設定される。次に、通信装置２０−１は、通信装置３１に対して、読み取り要求を含むパケットを送信するタイミングを設定する（Ｓ１０２）。
【００８２】
通信装置２０−１は、Ｓ１０１、Ｓ１０２で設定した送信するタイミングに基づいて、媒体予約範囲（周波数／時間）を設定する（Ｓ１０３）。この際、周辺の通信端末２０−２の通信状況を考慮することもできる。その後、ＢＬＥのパケット送信タイミングが近づいたら、そのタイミングと同期させてＣＴＳを送信する（Ｓ１０４）。
【００８３】
通信装置２０−１は、ＣＴＳを送信した後、媒体予約範囲において、ＢＬＥ通信の読取要求を含むポーリングパケットを送信する（Ｓ１０５）。また、その読取要求を含むポーリングパケットに対する応答パケットを受信する（Ｓ１０５）。
【００８４】
（第２の実施形態）
本実施形態では、通信装置に無線ＬＡＮの識別子が含まれる場合におけるＢＬＥ通信の
ための無線媒体予約の説明をする。なお、第１の実施形態と同様の部分については、説明を省略する。
【００８５】
本実施形態に係る無線通信ネットワークでは、アクセスポイントと通信装置で複数の無線ＬＡＮのネットワークが構成される。各通信装置には、無線ＬＡＮのネットワークを識別するサービスセット識別子（ＳＳ ＩＤ：Service Set Identifier）が割り当てられる
。サービスセット識別子は、無線ＬＡＮ内のネットワークのグループ（相互に通信する無線ノードグループ）を示す識別子である。
【００８６】
通信装置は、同一のサービスセット識別子を有するアクセスポイントと接続することができる。通信装置は、同一のサービスセット識別子を有する通信装置と接続することができる。サービスセット識別子として、基本サービスセット識別子ＢＳＳ  ＩＤ（Basic Service Set Identifier）、拡張サービスセット識別子ＥＳＳ  ＩＤ（Extended Service Set Identifier）を用いることができる。
【００８７】
本実施形態に係る無線通信ネットワークでは、複数のアクセスポイントと複数の通信装置で、無線ＬＡＮにおける複数の無線ノードグループを構成することができる。図１２は、本実施形態に係る無線通信ネットワークの構成例を示す図である。図１２において、アクセスポイント１１とアクセスポイント１２には、異なるサービスセット識別子が割り当てられる。アクセスポイント１１と通信装置２１は、１つの無線ノードグループを構成する。アクセスポイント１１と通信装置２１には、サービスセット識別子＃０が割当てられている。また、アクセスポイント１２と通信装置２２はもうひとつの無線ノードグループを構成する。アクセスポイント１２と通信装置２２には、サービスセット識別子＃１が割当てられている。通信装置２１及び２２は、無線ＬＡＮとＢＬＥを搭載する。カバレッジ１１ａ、１２ａは各々アクセスポイント１１、１２の無線ＬＡＮ通信が可能な範囲である。カバレッジ２１ａ、２２ａは各々、通信装置２１、通信装置２２のＢＬＥ通信可能な範囲である。通信装置２１は、ＢＬＥを用いて、通信装置３３−１及び３３−２と接続する。通信装置２２は、ＢＬＥを用いて、通信装置３４と接続する。アクセスポイント１１、１２は、アクセスポイント１０と同様の構成を備える（図２）。通信装置２１、２２は通信装置２０と同様の構成を備える（図２）。通信装置３３、３４は通信装置３１と同様の構成を備える（図２）。
【００８８】
図１２において、アクセスポイント１１、１２は、サービスセット識別子を含むビーコン、プローブ要求等のマネージメントフレームを送信する。通信装置２１、２２は、受信したビーコン等を用いて、自装置のサービスセット識別子を設定する。通信装置２１、２２は、受信したビーコン等を用いて、周辺のアクセスポイント及び周辺の通信装置のサービスセット識別子を知ることができる。
【００８９】
通信装置２１、２２は、アクセスポイントに対して、サービスセット識別子を問い合わせることができる。これに対する応答を用いて、自装置のサービスセット識別子を設定することができる。なお、通信装置２１、２２は、予めサービスセット識別子候補を所持することができる。
【００９０】
なお、本実施形態に係る無線ネットワークにおいて、１つのアクセスポイントと複数の通信装置で複数の無線ノードグループを構成することもできる。例えば、図１において、アクセスポイント１０に接続する通信装置２０−１、２０−２に、異なるサービスセット識別子が割り当てられる。例えば、アクセスポイント１０と通信装置２０−１にサービスセット識別子＃０が割り当てられる。また、アクセスポイント１０と通信装置２０−２にサービスセット識別子＃１が割り当てられる。
【００９１】
図１３は、本実施形態に係る無線ＬＡＮ及びＢＬＥを搭載した通信装置の媒体予約範囲の設定例を示す図である。図１３において、アクセスポイント１１と通信装置２１は、サービスセット識別子＃０が設定されている。通信装置２２はサービスセット識別子＃１が設定されている。期間ｔ４０は、無線ＬＡＮ（ＷＬＡＮ）とＢＬＥを搭載した通信装置２１が無線ＬＡＮにより通信を行うために媒体予約する期間である。期間ｔ４１は、ＲＴＳを用いて、通信装置２１がＢＬＥにより通信を行うために媒体予約する期間である。
【００９２】
通信装置２１は、アクセスポイント１１、１２及び通信装置２２が送信するデータフレームに含まれるサービスセット識別情報を読むことができる。同様に、通信装置２２も、アクセスポイント１１、１２及び通信装置２１が送信するデータフレームに含まれるサービスセット識別情報を読むことができる。これにより、通信装置２１、２２は、周辺のアクセスポイント及び通信装置の無線ノードグループや無線ＬＡＮの運用状況を把握することができる。
【００９３】
図１３において、通信装置２１は、所定のバックオフ（例えば、分散制御用フレーム間隔ＤＩＦＳ）の後、ＲＴＳを送信する。ＲＴＳを受信した通信装置２２は、ＲＴＳに含まれるＤｕｒａｔｉｏｎフィールドの値に基づいて、無線ＬＡＮ／ＢＬＥの送信を抑制するためのＮＡＶ（ＲＴＳ）期間を設定する。ＲＴＳを受信したアクセスポイント１１は、所定のバックオフ（例えば、短フレーム間隔ＳＩＦＳ）の後、ＣＴＳを送信する。
【００９４】
図１３において、ＣＴＳを受信した通信装置２１は、期間ｔ４０では、無線ＬＡＮのデータフレーム＃０をアクセスポイント１１に送信する。本実施形態に係るデータフレームは、少なくともサービスセット識別情報フィールドを含む。データフレーム＃０は、プリアンブル、サービスセット識別情報フィールド、データフィールドから構成される例である。サービスセット識別情報フィールドには、サービスセット識別子が配置される。サービスセット識別情報フィールドは、データフレームにおける物理レイヤヘッダに含めることができる。サービスセット識別情報フィールドは、基本サービスセットカラー（BSS color）を用いることができる。データフィールドには、アクセスポイント又は通信装置が
送信するユーザデータが配置される。なお、サービスセット識別情報フィールドは、データフレームにおけるＭＡＣレイヤヘッダに含めることもできる。
【００９５】
図１３の通信装置２１は、データフレーム＃０のサービスセット識別情報フィールドに、サービスセット識別子＃０を書き込んでいる。データフレーム＃０を受信した通信装置２２は、サービスセット識別情報フィールドを読み込む。データフレーム＃０のサービスセットセット識別情報＃０が通信装置２２に設定されたサービスセット識別子＃１と異なる場合、通信装置２２は、データフレーム＃０のためのＮＡＶ（ＲＴＳ）期間を待たず、自装置の無線ＬＡＮ通信を行えると判断する。例えば、通信装置２２は、サービスセット識別情報フィールドから所定のフレーム間隔ＩＦＳとバックオフの後、無線ＬＡＮの通信を行う。
【００９６】
図１３において、ＣＴＳを受信した通信装置２１は、期間ｔ４１では、無線ＬＡＮのデータフレーム＃１をアクセスポイント１１に送信する。データフレーム＃１は、少なくともプリアンブル、サービスセット識別情報フィールドから構成される。データフレーム＃１は、データフィールドを含まないフレームとすることができる。通信装置２１は、データフレーム＃１のサービスセット識別情報フィールドに、特定のサービスセット識別子を指定しない旨の情報（例えば、Ｎｕｌｌ）を設定する。前記特定のサービスセット識別子を指定しない旨の情報は、特定のネットワークを指定しない旨の情報とすることができる。
【００９７】
本実施形態に係る無線ＬＡＮは、特定のビット系列を特定のサービスセット識別子を指
定しない旨の情報と定めることができる。前記特定のビット系列は、サービスセット識別子として用いないビット系列を用いることができる。例えば、サービスセット識別情報フィールドのビット数が６ビットの場合、「００００００」から「１１１１１０」は特定のサービスセット識別子に割り当てられる。オール「１」は特定のサービスセット識別子を指定しない旨の情報に割当てられる。
【００９８】
通信装置２１は、特定のサービスセット識別子を指定しない旨の情報の代わりに、近隣の通信端末で使用していないサービスセット識別子を設定してもよい。この場合、通信装置２１は、近隣で使用されているサービスセット識別子をモニタリングし、動的にサービスセット識別子として用いないビット系列を判別する。
【００９９】
通信装置２１は、データフレーム＃１を送信した後、期間４１において、ＢＬＥを用いて、通信装置３３と通信を行う。データフレーム＃１を受信した通信装置２２は、サービスセット識別情報フィールドを読み込む。データフレーム＃１のサービスセット識別情報がＮｕｌｌの場合、通信装置２２は、ＮＡＶ（ＲＴＳ）期間は自装置の無線ＬＡＮ通信を行えないと判断する。通信装置２２は、サービスセットセット識別情報がＮｕｌｌの場合、期間ｔ４１において、ＢＬＥを用いて通信装置３４と通信を行うことができる。
【０１００】
図１３において、期間ｔ４２は、ＣＴＳ（CTS to self）を用いて、無線ＬＡＮとＢＬ
Ｅを搭載した通信装置２1がＢＬＥにより通信を行うために媒体予約した期間である。通
信装置２１は、所定のバックオフの後、ＣＴＳを送信する。ＣＴＳを受信した通信装置２２は、ＣＴＳに含まれるＤｕｒａｔｉｏｎフィールドの値に基づいて、ＮＡＶ（ＣＴＳ）期間を設定する。
【０１０１】
通信装置２１は、期間ｔ４２において、無線ＬＡＮのデータフレーム＃２をアクセスポイント１１に送信する。データフレーム＃２は、データフレーム＃１と同様に構成される。通信装置２１は、データフレーム＃２のサービスセット識別情報フィールドに、Ｎｕｌｌを書き込む。通信装置２１は、データフレーム＃２を送信した後、期間４２において、ＢＬＥを用いて、通信装置３３と通信を行う。
【０１０２】
データフレーム＃２を受信した通信装置２２は、そのサービスセットセット識別情報がＮｕｌｌの場合、通信装置２２は、ＮＡＶ（ＲＴＳ）期間は自装置の無線ＬＡＮ通信を行えないと判断する。通信装置２２は、サービスセットセット識別情報がＮｕｌｌの場合、期間ｔ４２において、ＢＬＥを用いて通信装置３４と通信を行う。なお、本実施形態に係る無線ＬＡＮシステムにおいて、データフレーム＃１、データフレーム＃２を、通常のデータフレーム（データフレーム＃０）と別のＭＡＣフレームのタイプとして定義してもよい。
【０１０３】
通信装置２１は、ＢＬＥ用媒体予約するためのＲＴＳ及びＣＴＳのＤｕｒａｔｉｏｎフィールドにおいて、無線ＬＡＮのフレーム（データフレーム＃１、＃２）の期間及びＢＬＥ通信期間以上の媒体予約期間を設定する。通信装置２１は、ＢＬＥ用媒体予約するためのＲＴＳ及びＣＴＳのＤｕｒａｔｉｏｎフィールドにおいて、データフレームの期間（データフレーム＃１、データフレーム＃２）、ＢＬＥ通信の接続インターバル／スレーブレイテンシ／実効接続インターバルを考慮して、Ｄｕｒａｔｉｏｎフィールド値を設定する。
【０１０４】
図１４は、本実施形態に係る無線ＬＡＮ及びＢＬＥを搭載した通信装置のＢＬＥの通信タイミングと媒体予約期間の設定例を示す図である。図１４において、右上がり斜線は、接続イベントを示す。網掛け部は、通信装置２１（マスタ装置）が通信装置３３（スレーブ装置）に送信するポーリングパケットを示す。白抜き部は、通信装置３３が通信装置２
１に送信する応答パケットを示す。
【０１０５】
通信装置２１は、ＢＬＥ通信のための接続インターバル／スレーブレイテンシを設定する。通信装置２１は、接続インターバル／スレーブレイテンシから実効接続インターバルを算出することができる。通信装置２１は、接続インターバル／スレーブレイテンシ／実効接続インターバルを用いて、読取要求を含むポーリングパケットを送信するタイミング（図１４における接続イベント＃０、＃２、＃１２、＃１４）を設定する。図１４の接続インターバル／スレーブレイテンシ／実効接続インターバルは、図６と同様の設定例である。
【０１０６】
通信装置２１は、実効接続インターバル（接続イベント＃０、＃１２の送信タイミング）と同期させて、無線ＬＡＮにおいてＣＴＳフレームを送信する。通信装置２１は、無線ＬＡＮのデータフレーム期間後に、接続イベント＃０、＃１２を開始する。通信装置２１は、このＣＴＳフレームのＤｕｒａｔｉｏｎフィールドに、無線ＬＡＮのデータフレーム期間と第１の接続インターバルの期間以上のＮＡＶ期間（ＢＬＥ用無線媒体予約期間）を設定する。ＣＴＳフレームと、サービスセット識別情報にＮｕｌｌが設定されたデータフレームとを受信した通信装置２２は、ＮＡＶ期間において無線ＬＡＮの送信を禁止する。これにより、通信装置２１は、通信装置３１とＢＬＥ通信をする期間において、無線ＬＡＮからの干渉を低減し、応答パケットが消失することを防ぐことができる。なお、サービスセット識別情報にＮｕｌｌが設定されたている場合、通信装置２２は、ＮＡＶ期間おいて、ＢＬＥ通信を行うことができる。
【０１０７】
（第３の実施形態）
本実施形態では、無線ＬＡＮのデータフレームにシステム識別子が含まれる場合におけるＢＬＥ通信のための無線媒体予約の説明をする。なお、第１の実施形態及び第２の実施形態と同様の部分については、説明を省略する。
【０１０８】
図１５は、本実施形態に係る無線ＬＡＮ及びＢＬＥを搭載した通信装置の媒体予約範囲の設定例を示す図である。図１５において、期間ｔ５０は、無線ＬＡＮとＢＬＥを搭載した通信装置２１が無線ＬＡＮにより通信を行うために媒体予約する期間である。期間ｔ５１は、ＲＴＳを用いて、通信装置２１がＢＬＥにより通信を行うために媒体予約する期間である。期間ｔ５２は、ＣＴＳを用いて、通信装置２１がＢＬＥにより通信を行うために媒体予約する期間である。図１３と同様の動作については、説明を省略する。
【０１０９】
本実施形態に係る通信装置２１は、少なくともシステム識別情報フィールドを含むデータフレームを送信する。システム識別情報フィールドは、無線ＬＡＮ通信を用いてデータ伝送を行うか否かを示す情報である。図１５では、システム識別子＃０は無線ＬＡＮ通信の存在（無線ＬＡＮを用いてデータ伝送を行うこと）を示す識別子である。システム識別子＃１は無線ＬＡＮを無線ＬＡＮ以外の通信の存在（無線ＬＡＮ以外を用いてデータ伝送を行うこと）を示す識別子である。なお、システム識別情報フィールドは、データフレームにデータフィールドが含むか否かを示す識別子とすることもできる。
【０１１０】
図１５において、通信装置２１は、データフレーム＃０のシステム識別情報フィールドに、システム識別子＃０を設定する。システム識別子＃０を受信した通信装置２２は、通信装置２１が無線ＬＡＮ通信を行うと判断する。次に、通信装置２２は、サービスセット識別情報フィールドを読み込み、自装置の無線ＬＡＮ通信を行ってよいか否か判断する。図１５では、通信装置２２は、サービスセット識別情報フィールドに自装置と異なるサービスセット識別子を格納している。この場合、通信装置２２は、データフレーム＃０のためのＮＡＶ（ＲＴＳ）期間を待たず、自装置の無線ＬＡＮ通信を行えると判断する。
【０１１１】
通信装置２１は、データフレーム＃１のシステム識別情報フィールドに、システム識別子＃１を設定する。システム識別子＃１を受信した通信装置２２は、通信装置２１が無線ＬＡＮ通信を行わないと判断する。この場合、通信装置２２は、ＮＡＶ（ＲＴＳ）期間は自装置の無線ＬＡＮ通信を行えないと判断する。通信装置２１は、ＢＬＥ通信を行う期間ｔ５１において、データフレームを送信した後、ＢＬＥを用いて、通信装置３３と通信を行う。
【０１１２】
通信装置２１は、ＢＬＥの実効接続インターバルと同期させて、無線ＬＡＮにおけるＣＴＳフレームを送信する。通信装置２１は、データフレーム＃１の期間後に、ＢＬＥの接続イベントを開始する。通信装置２１は、ＢＬＥ用媒体予約するためのＲＴＳ及びＣＴＳのＤｕｒａｔｉｏｎフィールドにおいて、データフレーム＃１の期間及びＢＬＥ通信の接続インターバル／スレーブレイテンシ／実効接続インターバルを考慮して、Ｄｕｒａｔｉｏｎフィールド値を設定する。例えば、通信装置２１は、読取要求を含むポーリングパケットを含む接続イベントを送信する期間をＮＡＶ期間に設定する。同様に、通信装置２１は、ＣＴＳ（CTS to itself）を用いる場合において、ＢＬＥ通信用に媒体予約範囲の設
定を行う（ＢＬＥ用媒体予約期間ｔ５２）。なお、本実施形態に係る無線ＬＡＮシステムにおいて、システム識別情報フィールドを含むフレームを、システム識別情報フィールドを含まないデータフレームと別のＭＡＣフレームのタイプとして定義してもよい。図１５では、識別システム情報が、サービスセット識別情報フィールドの前に配置されているが、本実施形態に係る発明は、これに限定されない。
【０１１３】
以上より、サービスセット識別情報及びシステム識別情報を含むデータフレームを送信する無線ＬＡＮシステムにおいて、無線ＬＡＮ及びＢＬＥを搭載する通信装置２１は、サービスセット識別情報の内容に依らず、通信装置３１とＢＬＥ通信をする期間において、無線ＬＡＮからの干渉を低減し、応答パケットが消失することを防ぐことができる。なお、システム識別子は、システム毎の識別子とすることもできる。例えば、システム識別子＃０、＃１、＃２は各々、第１の無線ＬＡＮ規格に準拠するシステムの存在を示す識別子、第２の無線ＬＡＮ規格に準拠するシステムの存在を示す識別子、ＢＬＥに準拠するシステムの存在を示す識別子とする。
【０１１４】
（第４の実施形態）
本実施形態では、無線ＬＡＮのＲＴＳフレーム／ＣＴＳフレームにシステム識別子が含まれる場合におけるＢＬＥ通信のための無線媒体予約の説明をする。なお、第１の実施形態乃至第３の実施形態と同様の部分については、説明を省略する。
【０１１５】
図１６は、本実施形態に係る無線ＬＡＮ及びＢＬＥを搭載した通信装置の媒体予約範囲の設定例を示す図である。図１６は、通信装置２１が、ＣＴＳフレーム（CTS to self）
を送信し、ＮＡＶ（ＣＴＳ）期間を設定する場合である。本実施形態に係るＣＴＳフレームは、少なくともシステム識別情報フィールドを含む。システム識別情報フィールドは、物理層ヘッダに含めることができる。システム識別子は、システム毎の識別子とすることもできる。図１６では、ＣＴＳフレーム＃０は、プリアンブル、システム識別情報フィールド及びＭＡＣヘッダから構成されている。ＭＡＣヘッダには、Ｄｕｒａｔｉｏｎフィールドが含まれる。システム識別情報フィールドにおいて、システム識別子＃０は、無線ＬＡＮ用にＮＡＶ期間を設定することを示す識別子である。システム識別子＃１は、無線ＬＡＮ以外の通信用にＮＡＶ期間を設定することを示す識別子である。なお、図１６では、システム識別情報がＭＡＣフィールドの前に配置されているが、本実施形態に係る発明は、これに限定されない。例えば、システム識別情報をＭＡＣヘッダの後に配置してもよい。
【０１１６】
通信装置２１は、所定のバックオフの後、ＣＴＳフレーム＃０を送信する。通信装置２
１は、ＣＴＳフレーム＃０のシステム識別情報フィールドに、システム識別子＃０を設定する。ＣＴＳフレーム＃０を受信した通信装置２２は、無線ＬＡＮ用に媒体予約期間ｔ６０を設定する。通信装置２１は、期間ｔ６０において、無線ＬＡＮのデータフレームを送信する。
【０１１７】
通信装置２１は、所定のバックオフの後、ＣＴＳフレーム＃１を送信する。通信装置２１は、ＣＴＳフレーム＃１のシステム識別情報フィールドに、システム識別子＃１を設定する。ＣＴＳフレーム＃１を受信した通信装置２２は、無線ＬＡＮ用に媒体予約期間ｔ６１を設定する。通信装置２１は、期間ｔ６１において、ＢＬＥ通信を行う。また、通信装置２２は、期間ｔ６１において、ＢＬＥ通信を行ってもよい。
【０１１８】
通信装置２１は、ＢＬＥの実効接続インターバルと同期させて、無線ＬＡＮにおけるＣＴＳフレーム＃１を送信する。通信装置２１は、ＣＴＳフレーム＃１の期間後に、ＢＬＥの接続イベントを開始する。通信装置２１は、ＣＴＳフレーム＃１のＤｕｒａｔｉｏｎフィールドにおいて、ＢＬＥ通信の接続インターバル／スレーブレイテンシ／実効接続インターバルを考慮して、Ｄｕｒａｔｉｏｎフィールド値を設定する。例えば、通信装置２１は、読取要求を含むポーリングパケットを含む接続イベントを送信する期間をＮＡＶ期間に設定する。
【０１１９】
無線ＬＡＮ及びＢＬＥを搭載する通信装置は、システム識別情報を含むＣＴＳフレームを送信するため、無線ＬＡＮ又はＢＬＥのいずれを用いるかを、周辺の通信装置に通知することができる。これにより、ＣＴＳを送信した通信装置及びその周辺に存在する通信装置は、ＢＬＥ通信をする期間において、無線ＬＡＮからの干渉を低減し、応答パケットが消失することを防ぐことができる。なお、本実施形態では、ＣＴＳフレームにシステム識別子が含まれる場合を説明したが、ＲＴＳフレームにシステム識別子を含めることもできる。本実施形態に係る無線ＬＡＮシステムにおいて、システム識別情報フィールドを含む制御フレームは、システム識別情報フィールドを含まない制御フレームと別のＭＡＣフレームのタイプと定義してもよい。
【０１２０】
なお、本発明に係る通信装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１２１】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における通信装置の一部、または全部を典型的には集積回路であるＬＳＩとして実現してもよい。通信装置の各機能ブロックは個別にチップ化してもよいし、一部、または全部を集積してチップ化してもよい。各機能ブロックを集積回路化した場合に、それらを制御する集積回路制御部が付加される。
【０１２２】
また、集積回路化の手法はＬＳＩに限らず専用回路、または汎用プロセッサで実現して
も良い。また、半導体技術の進歩によりＬＳＩに代替する集積回路化の技術が出現した場合、当該技術による集積回路を用いることも可能である。
【０１２３】
なお、本願発明は上述の実施形態に限定されるものではない。本願発明の通信装置は、移動端末への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用出来ることは言うまでもない。
【０１２４】
以上、この発明の実施形態を、図面を参照して詳述してきたが、具体的な構成はこの実施形態に限られるものではなく、この発明の要旨を逸脱しない範囲の設計等も特許請求の範囲に含まれる。
【産業上の利用可能性】
【０１２５】
本発明は、通信装置および通信方法に用いて好適である。
【符号の説明】
【０１２６】
１０、１１、１２  アクセスポイント
２０−１、２０−２、２１、２２  無線ＬＡＮとＢＬＥを搭載した通信装置
３１−１、３１−２、３２、３３−１、３３−２、３４  ＢＬＥを搭載した通信装置
１０ａ、１１ａ、１２ａ  無線ＬＡＮの通信エリア
２０−１ａ、２０−２ａ、２１ａ、２２ａ  ＢＬＥの通信エリア
１００、２００−１、２００−２、３００  アンテナ部
１０１、２０１１  第１の無線送受信部
１０２、２０１２  第１の上位層処理部
２０１  第１の無線通信処理部
２０２  第２の無線通信処理部
２０３  無線チャネル管理部
３０１、２０２１  第２の無線送受信部
３０２、２０２２  第２の上位層処理部
【図１】
2019054313.tif 000003
【図２】
2019054313.tif 000004
【図３】
2019054313.tif 000005
【図４】
2019054313.tif 000006
【図５】
2019054313.tif 000007
【図６】
2019054313.tif 000008
【図７】
2019054313.tif 000009
【図８】
2019054313.tif 000010
【図９】
2019054313.tif 000011
【図１０】
2019054313.tif 000012
【図１１】
2019054313.tif 000013
【図１２】
2019054313.tif 000014
【図１３】
2019054313.tif 000015
【図１４】
2019054313.tif 000016
【図１５】
2019054313.tif 000017
【図１６】
2019054313.tif 000018